(57)【特許請求の範囲】
【請求項１】
第１圧力発生室の一面に第１弾性板を間に介して装着された第１圧電素子と、第２圧力発生室の一面に第２弾性板を間に介して装着された第２圧電素子とが備えられ、前記第１圧力発生室と、前記第２圧力発生室とを介して混合物が吐出されるインクヘッドを有する印刷装置を用いる発光装置の作製方法であって、
前記インクヘッドから、前記第１圧電素子の変位により有機化合物材料を含む前記混合物を連続的に吐出し、前記第１圧電素子の変位を止めるとともに前記第２圧電素子を変位させることで前記混合物の吐出を止めてストライプ状の有機化合物層を形成することを特徴とする発光装置の作製方法。
【請求項２】
第１圧力発生室の一面に第１弾性板を間に介して装着された第１圧電素子と、第２圧力発生室の一面に第２弾性板を間に介して装着された第２圧電素子とが備えられ、前記第１圧力発生室と、前記第２圧力発生室とを介して混合物が吐出されるインクヘッドを有する印刷装置を用いる発光装置の作製方法であって、
前記インクヘッドから、前記第１圧電素子の変位による前記第１圧力発生室の容積の変動により有機化合物材料を含む前記混合物を連続的に吐出し、前記第１圧電素子の変位を止めるとともに前記第２圧力発生室の容積が大きくなるように前記第２圧電素子を変位させることで前記混合物の吐出を止めてストライプ状の有機化合物層を形成することを特徴とする発光装置の作製方法。
【請求項３】
請求項１又は請求項２において、前記第２圧電素子を変位させない状態で前記第１圧電素子の変位により前記有機化合物材料を含む前記混合物を連続的に吐出することを特徴とする発光装置の作製方法。
【請求項４】
請求項１乃至請求項３のいずれか一において、
第１の電圧を印加することで前記第１圧電素子を変位させ、
前記第１の電圧を止めることで前記第１圧電素子の変位を止め、
第２の電圧を印加することで前記第２圧電素子を変位させ、
前記第１の電圧として、前記第２の電圧と比較して短い周期で繰り返されるパルス電圧を印加することを特徴とする発光装置の作製方法。
【請求項５】
請求項１乃至請求項４のいずれか一において、前記インクヘッドから吐出された前記混合物に気体を吹き付けて平坦化しながら、前記ストライプ状の有機化合物層を形成することを特徴とする発光装置の作製方法。
【請求項６】
請求項１乃至請求項５のいずれか一において、
画素領域にストライプ状の隔壁を形成し、
前記隔壁に仕切られた領域に、前記ストライプ状の有機化合物層を形成することを特徴とする発光装置の作製方法。
【請求項７】
請求項１乃至請求項６のいずれか一において、前記混合物として、前記有機化合物材料若しくは前記有機化合物材料の前駆体を溶媒に溶解させたもの又は分散させたものを吐出することを特徴とする発光装置の作製方法。
【請求項８】
請求項１乃至請求項７のいずれか一において、前記有機化合物材料として、昇華性を有さずかつ連鎖する分子の長さが５μｍ以下の有機化合物を用いることを特徴とする発光装置の作製方法。
【発明の詳細な説明】
【０００１】
【発明の属する技術分野】
本発明は、一対の電極間に有機化合物で成る発光体が設けられた発光素子を有する発光装置の作製方法と、当該発光装置の作製に適用可能な印刷装置に関する。
【０００２】
【従来の技術】
発光体に有機化合物を用いた発光素子（以下、有機発光素子という）の構造は、陰極と陽極との間に有機化合物層が形成されたサンドイッチ型が一般的である。低分子系有機化合物を用いる場合は、正孔注入層、正孔輸送層、発光層、電子輸送層、電子注入層など複数の材料から成る層を組み合わせて形成されている。正孔注入層と正孔輸送層との区別は必ずしも厳密なものではなく、これらは正孔輸送性（正孔移動度）が特に重要な特性である意味において同じである。便宜上正孔注入層は陽極に接する側の層であり、正孔注入層に接する層を正孔輸送層と呼んで区別されている。また、陰極に接する層を電子注入層と呼び、電子注入層に接する層を電子輸送層と呼んでいる。発光層は電子輸送層を兼ねる場合もあり、発光性電子輸送層とも呼ばれる。低分子系有機化合物の層は真空蒸着法により形成する方法が採られている。
【０００３】
これに対し、高分子系有機化合物材料は、塗布法や印刷法など湿式法により形成される。最近ではインクジェット方式による印刷法が注目されており、当該技術は特開平１０−１２３７７号公報、特開平１０−１５３９６７号公報又は特開平１１−５４２７０号公報などで開示されている。インクジェット方式で用いる有機化合物材料は、水溶性或いはアルコール又はグリコール系溶剤可溶材料が適用され、ポリパラフェニレンビニレン（以下、ＰＰＶと記す）の前駆体などが用いられている。ＰＰＶ前駆体は塩となって水に溶け、塗布後の加熱により重合して高分子化するものである。
【０００４】
これら有機化合物における発光機構は、陰極から注入された電子と、陽極から注入された正孔が発光体で成る発光層で再結合して分子励起子を形成し、その分子励起子が基底状態に戻る時に光を放出する現象として考えられている。励起状態には一重項状態からの発光（蛍光）と三重項状態からの発光（燐光）とがある。輝度は数千〜数万cd/m2に及ぶことから、原理的にも表示装置などへの応用が十分可能であると考えられている。
【０００５】
【発明が解決しようとする課題】
有機化合物層を半導体のように光露光プロセスによりパターン形成することが耐熱性や耐水性の点から不可能である。真空蒸着法ではシャドーマスクにより有機化合物層をパターン形成するが、その場合シャドーマスクに付着する有機化合物材料は利用されず損失することになる。その他にも蒸着装置のチャンバー内壁や蒸発源の坩堝内に残留する分も損失分となりので、その利用効率は１０％程度であると見込まれる。従って、真空蒸着法で形成される低分子系有機化合物層は、材料の利用効率が悪いという問題点を有していた。
【０００６】
勿論、材料のコストが廉価であればそれでも良いが、高純度化が要求される低分子系有機化合物材料は高価であり、それが製品のコストに反映されてしまう。
【０００７】
一方、高分子系有機化合物を用いてインクジェット方式で有機発光素子を形成すると、このパターン形成工程が簡便であることが利点となる。１ドット毎に有機化合物層を形成することにより、フォトレジストパターンやエッチングなどの工程を不要なものとしている。さらに材料の利用効率も遙かに高まり８０％以上を確保することも可能となる。
【０００８】
しかし、効率的な生産方式として、１枚の大面積基板から複数枚の表示用パネルを切り出す多面取りの生産方式では、１ドット毎に混合物を滴下していくインクジェット方式は必ずしも処理能力が高いとは言えない。画面サイズが大きくなり画素数が増えるにつれ、高い位置精度と処理速度の高速化が要求されるので、結局処理時間が増大してしまうという問題点を有していた。
【０００９】
また、１ドット毎に混合物を滴下して有機化合物層を形成する場合、当該混合物の吐出量のばらつきや、滴下される位置の揺らぎが発光強度の斑となり、多数の発光素子をもって形成される発光装置の品質を低下させる要因となっていた。
【００１０】
本発明はこのような問題点を鑑みてなされたものであり、インクジェット方式による有機化合物層の形成を簡便でかつ高速に処理することが可能な印刷装置及びその装置を用いた発光装置の作製方法を提供することを目的とする。
【００１１】
【課題を解決するための手段】
上記問題点を解決するために本発明の印刷装置は、インクヘッドの構成に特徴を有し、第１圧電素子が装着された第１弾性板と、第２圧電素子が装着された第２弾性板とを有し、第１の弾性板により一方の面が封止された圧力発生室と、圧力発生室に連接し、一方の面が前記第２弾性板により封止された供給経路とから成るインクヘッドと、気体の噴出により前記インクヘッドから吐出した混合物を平坦化する手段とが備えられ、前記第１圧電素子の振動周波数は、前記第２圧電素子の振動周波数よりも高い周波数で動作して、前記混合物を連続的に吐出する機能が備えられている。
【００１２】
また他の構成は、第１圧電素子が装着された第１弾性板と、第２圧電素子が装着された第２弾性板とを有し、第１の弾性板により一方の面が封止された圧力発生室と、圧力発生室に連接し、一方の面が前記第２弾性板により封止された供給経路とから成るインクヘッドと、気体の噴出により前記インクヘッドから吐出した混合物を平坦化する手段とが備えられ、第１圧電素子が装着された第１弾性板により混合物を連続的に吐出し、第２圧電素子が装着された第２弾性板により混合物の吐出を止める機能が備えられているものである。
【００１３】
混合物としては、有機発光材料又はその前駆体を液体に溶解又は分散させたものを用いる。混合物を連続的に吐出することにより、１ドット毎にインクをプリントしていくインクジェット方式と比較して、位置制御の時間が短縮され、印刷速度を向上させることができる。特に、１枚の大面積基板から複数枚の表示用パネルを切り出すマザーガラスを用いる生産方式に適用する場合に適している。また、マザーガラスに複数の画素領域が設けられている場合には、画素領域間の移動の間、混合物の吐出を瞬時に停止させることで、インクヘッドをマザーガラスに対してより高速に移動させることができる。第２圧電素子は混合物の吐出を瞬時に止めるために設けるものであり、この手段を設けることにより、印刷の高速化を実現することができる。
【００１４】
このような構成のインクジェット方式の印刷装置を用いた発光装置の作製方法は、インクヘッドから、第１の圧電素子の振動により、連続的に混合物を滴下して画素領域にストライプ状の有機化合物層を形成する第１の段階と、第１の圧電素子の振動を停止させ、第２の圧電素子により前記混合物の滴下を瞬時に停止する第２の段階とを有している。この場合、混合物を塗布し、その塗布面に気体を吹き付けて平坦化しながら、画素領域にストライプ状の有機化合物層を形成する構成としても良い。
【００１５】
また、他の構成は、インクジェット方式により第１乃至第ｎ（ｎ＞1）の画素領域が区画された基板上に有機化合物層を形成する発光装置の作製方法において、インクヘッドから、第１の圧電素子の振動により、連続的に混合物を滴下して第ｎの画素領域にストライプ状の有機化合物層を形成する第１の段階と、第１の圧電素子の振動を停止させ、第ｎ＋１の圧電素子により前記混合物の滴下を瞬時に停止して、第２の画素領域へ前記インクヘッドを移動させる第２の段階とを有している。この場合にも混合物を塗布し、その塗布面に気体を吹き付けて平坦化しながら、画素領域にストライプ状の有機化合物層を形成する構成としても良い。
【００１６】
上記発光装置の作製方法において、有機化合物層の第１層目を塗布法により第１の有機化合物層を形成し、その後インクジェット方式の印刷法により第２の有機化合物層を形成する工程としても良い。第１の有機化合物層をポリエチレンジオキシチオフェンなどで形成すると良い。
【００１７】
第１及び第２圧電素子をインクヘッドに組み入れ、変位を与えるタイミングを同期させることにより、混合物を連続的に吐出したり、その吐出を瞬時に止めることができる。混合物を連続的に吐出して連続した有機化合物層を形成することにより、１ドット毎にインクをプリントしていくインクジェット方式と比較して、位置制御の時間が短縮され、印刷速度を向上させることができる。特に、１枚の大面積基板から複数枚の表示用パネルを切り出す生産方式に適用する場合に適している。また、大面積基板に複数の画素領域が設けられている場合には、画素領域間の移動の間、混合物の吐出を瞬時に停止させることで、インクヘッドを大面積基板に対してより高速に移動させることができる。第２圧電素子は混合物の吐出を瞬時に止めるために設けるものであり、この手段を設けることにより、印刷の高速化を実現することができる。
【００１８】
【発明の実施の形態】
以下、本発明の実施の形態について図面を参照して説明する。図５は本発明のインクジェット方式を用いた印刷装置の構成を示している。印刷装置はインクヘッド４０１、気体を吹き付けるノズル４０３、基板を固定するステージ４０５などから成っている。その他付随する要素として、処理する基板を保持するカセット４０７、そのカセット４０７から搬出入させる搬送手段４０６などを備えていても良い。混合物はリザーバータンク４０２からインクヘッド４０１に供給される。また、吹き付ける気体は、圧縮容器、フィルター、流量制御装置などから成る気体供給手段４０４から供給される。気体は不活性気体を用い、窒素、アルゴンなどを適用する。
【００１９】
気体を噴出するノズル４０３はインクヘッド４０１に隣接して設けられている。このノズルから噴出する気体は、基板４０８上に吐出された混合物を平坦化する手段として用いる。
【００２０】
また、混合物は酸化しやすいものが多いので、処理室４０９内は、ガス供給手段４１０により、窒素などの不活気体を供給し雰囲気を置換しておくことが望ましい。
【００２１】
図１はインクヘッドの構造を断面図として示している。筐体１０１には第１圧電素子１０２が装着された第１弾性板１０３により一方の面が封止された第１圧力発生室１０６と、第２圧電素子１０４が装着された第２弾性板１０５により一方の面が封止された第２圧力発生室１０７が形成されている。第２圧力発生室１０７には開口部が形成され、そこが吐出口１０８となり、混合物が吐出するようになっている。開口１１０が形成されたノズル１０９は気体を基板面に向かって噴出するものであり、インクヘッドの吐出口１０８の近傍に設けられている。
【００２２】
第１圧力発生室１０６を構成する第１弾性板１０３は、第１圧電素子１０２のたわみ変位により第１圧力発生室１０６の容積を変動させ混合物を吐出させる。一方、第２圧力発生室１０７の第２弾性板１０５はも同様に、第２圧電素子１０４のたわみ変位により第２圧力発生室１０７の容積を変動させて、混合物の吐出を停止させる。
【００２３】
図３は用いてインクヘッドから混合物を吐出する動作を説明する図である。第１圧力発生室１０６は、第１圧電素子１０２の振動により容積を変化させて混合物を第２圧力発生室１０７を介して吐出口１０８から吐出している。それに伴って混合物１１５はリザーバーから適時供給されている。この時、第２圧電素子１０４は振動せずに一定の位置にとどまっている。混合物の吐出を停止するには、第１圧電素子１０２の振動を止め、第２圧力発生室１０７の圧電素子１０４を第２圧力発生室１０７の容積が大きくなるように変位させる。圧電素子１０４の変位と共に、弾性板１０５が変位して第２圧力発生室の容積を大きくすることができる。この動作により、混合物の吐出を瞬時に止めることができる。
【００２４】
図４は圧電素子に印加する信号電圧のタイミングチャートを示している。第１圧電素子には短い周期でパルス電圧を与えることにより混合物を連速的に吐出させている。所定に期間吐出を行い、それを停止させる時にそのパルス電圧は停止し、それと同時に第２圧電素子にパルス電圧を印加して変位を発生させる。これにより吐出を瞬時で停止させる。
【００２５】
このように、２つの圧電素子をインクヘッドに組み入れ、変位を与えるタイミングを図４で示すように同期させることにより、混合物を連続的に吐出したり、その吐出を瞬時に止めることができる。
【００２６】
図２はインクヘッド他の一例を示している。このインクヘッドの構成は、筐体２０１に第１圧電素子２０２、第１弾性板２０３、第２圧電素子２０４、第２弾性板２０５が設けられ、同様に混合物を連続的に吐出したり、その吐出を瞬時に止めることができる。但し、第２圧電素子２０４と第２弾性板２０５は圧力発生室２０７から延在する供給経路２１１の途中に設けられている。この構成では、第２圧電素子２０４が変位することにより、供給路２１１を塞ぎ、混合物の吐出を止める機構となっている。その他、気体を噴出するノズル２０９の構成は図１と同様なものとしている。
【００２７】
インクヘッドに設けられる吐出口は一つでも良いが、より効率的に印刷を行うには複数の吐出口を設けても良い。例えば、一組の圧力発生室と吐出口を一対に対応させて設けても良いし、複数の吐出口に対し一組の圧力発生室を対応させても良い。
【００２８】
第１及び第２圧電素子をインクヘッドに組み入れ、変位を与えるタイミングを同期させることにより、混合物を連続的に吐出したり、その吐出を瞬時に止めることができる。図４で示すように第１圧電素子と第２圧電素子を同期させて混合物を連続的に吐出させ、有機化合物層を形成することにより位置制御の時間が短縮され、印刷速度を向上させることができる。特に、１枚の大面積基板から複数枚の表示用パネルを切り出す生産方式に適用する場合に適している。また、大面積基板に複数の画素領域が設けられている場合には、画素領域間の移動の間、混合物の吐出を瞬時に停止させることで、インクヘッドを大面積基板に対してより高速に移動させることができる。第２圧電素子は混合物の吐出を瞬時に止めるために設けるものであり、この手段を設けることにより、印刷の高速化を実現することができる。
【００２９】
【実施例】
[実施例１]
図６は、本発明のインクジェット方式の印刷装置を用い、有機発光素子の一方に電極が形成された基板上に、画素領域に合わせて高分子系有機化合物層を形成する様子を模式的に示している。図６において、６１０は基板であり、基板６１０上には画素領域６１１、ソース側駆動回路６１２、ゲート側駆動回路６１３がＴＦＴにより形成されている。ソース側駆動回路６１２に接続された複数のソース配線とゲート側駆動回路６１３に接続された複数のゲート配線とで囲まれた領域が画素領域であり、画素領域にはＴＦＴと該ＴＦＴに電気的に接続された有機発光素子が形成される。画素領域６１１はこのような画素がマトリクス状の配列された領域として区画される。
【００３０】
ここで６１４aは赤色に発光する有機化合物材料と溶媒との混合物（以下、赤色発光層用混合物という）、６１４bは緑色に発光する有機化合物材料と溶媒との混合物（以下、緑色発光層用混合物という）、６１４cは青色に発光する有機化合物材料と溶媒との混合物（以下、青色発光層用混合物という）である。なお、これらの有機化合物材料は高分子を重合したものを直接溶媒に溶かして塗布する方法と、前駆体を溶媒に溶かしたものを成膜した後に加熱重合させる方法とがあるが、どちらの混合物を採用することも可能である。
【００３１】
インクヘッドからは赤色発光層用混合物６１４a、緑色発光層用混合物６１４b、青色発光層用混合物６１４cが別々に吐出され、矢印の方向に向かって塗布される。即ち、赤色に発光すべき有機化合物層、緑色に発光すべき有機化合物層及び青色に発光すべき有機化合物層に、同時にストライプ状の発光層が形成される。
【００３２】
有機化合物層を形成する高分子系有機化合物としては、ポリパラフェニレンビニレン誘導体、ポリチオフェン誘導体、ポリフルオレン誘導体、ポリパラフェニレン誘導体、ポリアルキルフェニレン、ポリアセチレン誘導体などの有機溶媒に可溶な物質を用いることができる。
【００３３】
ポリパラフェニレンビニレン誘導体としては、ポリ（２，５−ジアルコキシ−１，４−フェニレンビニレン）：ＲＯ−ＰＰＶを用いることができ、具体的にはポリ（２−メトキシ−５−（２−エチル−ヘキソキシ）−１，４−フェニレンビニレン）：ＭＥＨ−ＰＰＶやポリ（２，５−ジメチルオクチルシリル−１，４−フェニレンビニレン）：ＤＭＯＳ−ＰＰＶといった材料を用いることができる。
【００３４】
ポリパラフェニレン誘導体としては、ポリ（２，５−ジアルコキシ−１，４−フェニレン）：ＲＯ−ＰＰＰを用いることができる。
【００３５】
ポリチオフェン誘導体としては、ポリ（３−アルキルチオフェン）：ＰＡＴを用いることができ、具体的にはポリ（３−ヘキシルチオフェン）：ＰＨＴ、ポリ（３−シクロヘキシルチオフェン）：ＰＣＨＴといった材料を用いることができる。その他にもポリ（３−シクロヘキシル−４−メチルチオフェン）：ＰＣＨＭＴ、ポリ（３−［４−オクチルフェニル］−２，２’ビチオフェン）：ＰＴＯＰＴ、ポリ（３−（４オクチルフェニル）−チオフェン）：ＰＯＰＴ−１等を用いることもできる。
【００３６】
ポリフルオレン誘導体としては、ポリ（ジアルキルフルオレン）：ＰＤＡＦを用いることができ、具体的にはポリ（ジオクチルフルオレン）：ＰＤＯＦといった材料を用いることができる。
【００３７】
ポリアセチレン誘導体としては、ポリプロピルフェニルアセチレン：ＰＰＡ−ｉＰｒ、ポリブチルフェニルフェニルアセチレン：ＰＤＰＡ−ｎＢｕ、ポリヘキシルフェニルアセチレン：ＰＨＰＡといった材料を用いることができる。
【００３８】
また、これらの高分子系有機化合物の溶媒としては、トルエン、ベンゼン、クロロベンゼン、ジクロロベンゼン、クロロホルム、テトラリン、キシレン、アニソール、ジクロロメタン、γブチルラクトン、ブチルセルソルブ、シクロヘキサン、ＮＭＰ（Ｎ−メチル−２−ピロリドン）、ジメチルスルホキシド、シクロヘキサノン、ジオキサンまたは、ＴＨＦ（テトラヒドロフラン）等を用いることができる。
【００３９】
また、正孔注入性の高分子化合物としてＰＥＤＯＴ（poly(3,4‐ethylene dioxythiophene)）や、ポリアニリン（ＰＡ）を用いることもできる。なお、これらの材料は水溶性である。このＰＥＤＯＴは塗布法によっても形成可能である。塗布法で形成した第１の有機化合物層（ＰＥＤＯＴ）の上に、インクジェット方式で第２の有機化合物層を形成することもできる。
【００４０】
その他にも、昇華性を有せず、且つ分子数が１０以下、又は連鎖する分子の長さが５μm以下の有機化合物（これを中分子系有機化合物という）を用いることもできる。そのような材料の一例は、テトラキス（２−メルカプト−ヘンズオキサゾラト）タングステンなどが上げられる。高分子有機化合物材料を用いたインクジェット方式によるパターン形成では、滴下した混合物が糸を引いて線状になってしまうなどの問題点があるが、連鎖する分子数の少ない中分子系有機化合物ではそのような不具合が発生しない。また、高分子系有機化合物材料の混合物を形成する場合には、それを溶かす溶媒とインクヘッドを構成する部材との組み合わせを考慮する必要がある。実際にはインクヘッドを構成する部材を腐食しない溶媒を用いる必要がある。しかし、中分子系有機化合物では、水溶液に分散させて用いることも可能であり、そのような問題が発生しない。
【００４１】
なお、ここでいう有機化合物層とは隔壁６２１に仕切られた画素の列を指し、隔壁６２１はソース配線の上方に形成されている。即ち、ソース配線に沿って複数の画素が直列に並んだ列を有機化合物層と呼んでいる。但し、ここでは隔壁６２１がソース配線の上方に形成された場合を説明したが、ゲート配線の上方に設けられていても良い。この場合は、ゲート配線に沿って複数の画素が直列に並んだ列を有機化合物層と呼ぶ。
【００４２】
従って、画素領域６１１は、複数のソース配線もしくは複数のゲート配線の上方に設けられたストライプ状の隔壁により分割された複数の有機化合物層の集合体として見ることができる。そのようにして見た場合、画素領域６１１は、赤色に発光するストライプ状の発光層が形成された有機化合物層、緑色に発光するストライプ状の発光層が形成された有機化合物層及び青色に発光するストライプ状の発光層が形成された有機化合物層からなるとも言える。
【００４３】
また、上記ストライプ状の隔壁は、複数のソース配線もしくは複数のゲート配線の上方に設けられているため、実質的に画素領域６１１は、複数のソース配線もしくは複数のゲート配線により分割された複数の有機化合物層の集合体と見ることもできる。
【００４４】
図６は画素領域に形成された有機化合物層全てに対して一括で有機化合物（厳密には混合物）を塗布する例を示している。即ち、ヘッド部６０１には有機化合物層の本数と同じ数でノズルが取り付けられている。このような構成とすることで一回の走査で全ての有機化合物層に塗布することが可能となり、飛躍的にスループットが向上する。
【００４５】
また、画素領域を複数のゾーンに分けて、そのゾーンの中に含まれる有機化合物層の本数と同じ数でノズルを設けたヘッド部を用いても良い。即ち、画素領域をｎ個のゾーンに分割したとすると、ｎ回走査すれば全ての有機化合物層に有機化合物材料（厳密には混合物）を塗布することができる。実際には画素のサイズが数十μmと小さい場合もあるため、有機化合物層の幅も数十μm程度となる場合がある。そのような場合、横一列にノズルを並べることは困難となるため、ノズルの配置を工夫する必要がある。
【００４６】
[実施例２]
図７は本発明のインクジェット方式の印刷装置を用い、有機発光素子の一方に電極が形成された基板上に、画素領域に合わせて高分子系有機化合物層６１４を形成する他の一例を模式的に示している。尚、図７において、図６と重複するものは共通の符号を用いて示し、ここではその説明を省略する。図７では、単色毎に塗布する態様であり、インクヘッドから吐出される混合物は一種類である。この場合、赤色発光層用混合物、緑色発光層用混合物、青色発光層用混合物を装填したインクヘッドを個々に設け、単色毎に塗り分けることにより、厚さやその後の焼成重合温度などを個々の色に対して最適に調整することもできる。
【００４７】
[実施例３]
また、図８は大面積基板（マザーガラス基板）に形成されたパネル部に本発明の印刷装置を適用する場合に一態様を示すものである。マザーガラス８００には図６と同様の構成の画素領域を有するパネル８０１ａ〜８０１ｆが形成されている。図８では２つのインクヘッドを８０２ａ、８０２ｂで示しているが、その数は任意に設定することが可能である。隣接する画素領域に渡って連続して混合物を塗布する場合には、図３及び図４を用いて説明したように、第１及び第２圧電素子をインクヘッドに組み入れ、変位を与えるタイミングを同期させることにより、混合物を連続的に吐出したり、その吐出を瞬時に止めることができる。それにより大面積に多数の画素領域が形成された基板に対しても、高速で有機化合部層を形成することが可能となる。
【００４８】
[実施例４]
本発明の印刷装置を組み入れた発光装置の製造装置の一例を図９に示す。図９は複数の印刷室９０６〜９０８、乾燥室９０３、ロード室９０１、アンロード室９０２を備え、これらは共通室９０４、９０９を介して連結されている。中間室９０５は共通室９０４と９０９の間を連結する部屋である。基板の搬送は、搬送手段９１０、９１１により行う。印刷室９０６〜９０８には図１又は図２で示す構成のインクヘッド９１５〜９１７が設けられている。
【００４９】
ロード室９０１及びアンロード室９０２にはそれぞれ基板を保持するカセット９１２、９１３が保持されている。乾燥室９０３にはシーズヒータを内蔵した基板ステージ又はランプ光源、又は温風による加熱手段９１４が設けられ、印刷後に基板を加熱して乾燥させることができる。
【００５０】
それぞれの部屋は仕切弁９２０ａ〜９２０ｈで区切られているので、印刷は不活性気体中又は、混合物と同種の溶媒雰囲気中で行うことにより、不純物汚染を防止することができる。印刷法は真空を必要としないので、真空ポンプや気密シールなどを必要とせず装置の構成が簡単になるという特徴がある。
【００５１】
図１０に示す製造装置の構成は、有機発光素子の電極やパッシベーション膜までを連続形成することを可能とした装置の構成を示している。印刷室７０５〜７０７には図１又は図２で示す構成のインクヘッド７２０〜７２２が設けられている。洗浄室７０２は印刷前の基板の洗浄を行い、洗浄手段７１８はスピン洗浄、ブラシ洗浄などである。薬液供給手段７１９はアルカリ又は酸性の洗浄液を供給するものである。その他の洗浄手段として、紫外光を用いたＵＶ洗浄を採用しても良い。
【００５２】
ここで示すロード室７０１、洗浄室７０２、印刷室７０５〜７０７、共通室７０３、７０８、中間室７０４は大気圧で各種処理を行う。一方、被膜を形成する成膜室７１０、７１１は減圧下で処理を行い、排気手段７２４、７２７が備えられている。排気手段としては、ドライポンプ、油回転ポンプ、ターボ分子ポンプ、クライオポンプ、メカニカルブースターポンプなどを適用する。従って、共通室７１６、中間室７０９、成膜の終わった基板を一時的に蓄えておくアンロード室７１２にも同様に排気手段７２３、７３１、７３０が備えられている。それぞれの部屋は仕切弁７００ａ〜７００ｌで区切られている
【００５３】
成膜室７１０は蒸着法により導電膜の成膜を行い、蒸発源７２６、その加熱手段７２５などが備えられている。成膜室７１１は、プラズマＣＶＤ法により、窒化シリコン膜やダイヤモンドライクカーボンなどの被膜を形成する目的で設置されている。そのために、ガス供給手段７２９、グロー放電発生手段７２８などが備えられている。有機化合物層に上に電極を形成した後、連続してパッシベーション膜を形成することができ、有機化合物層に不純物の混入を防止することができる。
【００５４】
[実施例５]
図１１はアクティブマトリクス駆動する発光装置の画素の構造の一例を上面図で示す。また、図１２は図１１のＡ−Ａ'線に対応した断面図であり、両図は共通した符号を用いて画素の構造を説明している。
【００５５】
この画素構造は、一つの画素には２つのＴＦＴが設けられ、一方はスイッチング動作を目的としたｎチャネル型ＴＦＴ１２０４であり、他方は有機発光素子に流す電流を制御する動作を目的としたｐチャネル型ＴＦＴ１２０５である。勿論、本発明を適用するに当たり、一つの画素に設けるＴＦＴの数に限定はなく、発光装置の駆動方式に従い適切な回路構成とすれば良い。
【００５６】
図１２で示す如く、有機発光素子１１７４は第１電極１１４６、有機化合物層１１７１、第２電極１１７２から成っている。第１電極と第２電極はその極性により陽極と陰極とに区別することができる。陽極を形成する材料は酸化インジウムや酸化スズ、酸化亜鉛などの仕事関数の高い材料を用い、陰極にはＭｇＡｇ、ＡｌＭｇ、Ｃａ、Ｍｇ、Ｌｉ、ＡｌＬｉ、ＡｌＬｉＡｇなどのアルカリ金属又はアルカリ土類金属、代表的にはマグネシウム化合物で形成される仕事関数の低い材料を用いる。
【００５７】
その上にはパッシベーション膜１１７３が形成されている。パッシベーション膜には窒化シリコン、酸窒化シリコン、ダイヤモンドライクカーボンなど酸素や水蒸気に対しバリア性の高い材料を用いて形成する。
【００５８】
ｐチャネル型ＴＦＴ２０５及びｎチャネル型ＴＦＴ１２０４はチャネル形成領域やソース及びドレイン領域、ＬＤＤ領域などが形成される活性層１１１６、１１７を多結晶半導体膜で形成している。ゲート絶縁膜１１８を介して第１ゲート電極１１３３、１１３４が形成さているが、活性層を挟んで対向して第２ゲート電極１１０６、１１０８が絶縁膜１１１０、１１１１を介して設けられている。層間絶縁膜１１４３、１１４４は無機絶縁膜及び有機絶縁膜を組み合わせて形成されている。配線１１０５は映像データに基づく信号線であり、配線１１０７は有機発光素子に電流を供給する電源供給線である。
【００５９】
有機発光素子の第１電極１１４６は、ｐチャネル型ＴＦＴ１２０５の電極１１５３と接続されている。隔壁１１７０は隣接する画素を分離し、インクジェット方式で有機化合物層を形成する時に混合物が隣接する画素にまで及ばないように仕切る目的で形成されている。これはポリイミド、アクリルなどの感光性又は熱硬化型の樹脂材料で、第１電極の端部を覆うように形成してある。有機化合物層は縦方向に形成しても良いし、横方向に形成しても良い。
【００６０】
隔壁の間には、インクジェット方式の印刷装置を用いて一対の隔壁の間に有機化合物層を連続して形成する。インクヘッドの構成は図１又は図２に示すものを用いている。
【００６１】
縦方向に有機化合物層を形成した場合は、図１４（Ａ）のような配置となり、横方向に有機化合物層を形成した場合は、図１４（Ｂ）のような配置となる。図１４（Ａ）において、１４０１は縦方向にストライプ状に形成された隔壁、１４０２aは赤色に発光する有機化合物層、１４０２bは緑色に発光する有機化合物層である。勿論、緑色に発光する有機化合物層１４０２bの隣には青色に発光する有機化合物層（図示せず）が形成される。なお、隔壁１４０１は絶縁膜を介したソース配線の上方に、ソース配線に沿って形成される。
【００６２】
このとき、点線で示される画素１４０３の相互の距離Ｄは、有機化合物層の膜厚（ｔ）の５倍以上（好ましくは１０倍以上）とすることが望ましい。これは、Ｄ＜５ｔでは画素間でクロストークの問題が発生しうるからである。なお、距離Ｄが離れすぎても高精細な画像が得られなくなるので、５ｔ＜Ｄ＜５０ｔ（好ましくは１０ｔ＜Ｄ＜３５ｔ）とすることが好ましい。また、図１４（Ｂ）において、１４０４は横方向にストライプ状に形成された隔壁、１４０５aは赤色に発光する有機化合物層、１４０５bは緑色に発光する有機化合物層である。１４０５cは青色に発光する有機化合物層である。なお、隔壁１４０４は絶縁膜を介したゲート配線の上方に、ゲート配線に沿って形成される。この場合も点線で示される画素１４０６の相互の距離Ｄは、有機化合物層の膜厚ｔの５倍以上（好ましくは１０倍以上）、さらに好ましくは５ｔ＜Ｄ＜５０ｔ（好ましくは１０ｔ＜Ｄ＜３５ｔ）とすると良い。
【００６３】
[実施例６]
本実施例では、有機発光素子を備えた発光表示装置を作製する例を図１３に示す。図１３（Ａ）は、発光装置を示す上面図であり、そのＡ−Ａ'線の断面図を図１３（Ｂ）に示す。絶縁表面を有する基板３００（例えば、ガラス基板、結晶化ガラス基板、もしくはプラスチック基板等）に、画素領域３０２、ソース側駆動回路３０１、及びゲート側駆動回路３０３を形成する。これらの画素領域における有機化合物層は上記実施例に従い、本発明のインクジェット方式の印刷装置を用いて形成する。また、駆動回路については、公知のＴＦＴ及び回路技術を適用すれば良い。
【００６４】
また、３１８はシール材、３１９はＤＬＣ膜であり、画素領域および駆動回路部はシール材３１８で覆われ、そのシール材は保護膜３１９で覆われている。さらに、接着材を用いてカバー材３２０で封止されている。熱や外力などによる変形に耐えるためカバー材３２０は基板３００と同じ材質のもの、例えばガラス基板を用いることが望ましく、サンドブラスト法などにより図１３に示す凹部形状（深さ３〜１０μm）に加工する。さらに加工して乾燥剤３２１が設置できる凹部（深さ５０〜２００μm）を形成することが望ましい。なお、３０８はソース側駆動回路３０１及びゲート側駆動回路３０３に入力される信号を伝送するための配線であり、外部入力端子となるＦＰＣ（フレキシブルプリントサーキット）３０９からビデオ信号やクロック信号を受け取る。
【００６５】
次に、断面構造について図１３（Ｂ）を用いて説明する。基板３００上に絶縁膜３１０が設けられ、絶縁膜３１０の上方には画素領域３０２、ゲート側駆動回路３０３が形成されており、画素領域３０２は電流制御用ＴＦＴ３１１とそのドレインに電気的に接続された発光素子の一方の電極３１２を含む複数の画素により形成される。また、ゲート側駆動回路３０３はｎチャネル型ＴＦＴ３１３とｐチャネル型ＴＦＴ３１４とを組み合わせたＣＭＯＳ回路を用いて形成される。これらのＴＦＴ（３１１、３１３、３１４を含む）は、公知の技術に従い作製すればよい。
【００６６】
画素電極３１２は有機発光素子の陽極として機能する。また、画素電極３１２の両端には隔壁３１５が形成され、発光素子の電極３１２上には有機化合物層３１６および有機発光素子の陰極３１７が形成される。有機化合物層３１６としては、発光層、電荷輸送層または電荷注入層などを自由に組み合わせて形成すれば良い。
【００６７】
例えば、実施例１で示すように正孔注入層としてＰＥＤＯＴから成る第１の有機化合物層を形成し、その上に本発明のインクジェット方式による印刷装置を用いて第２の有機化合物層を形成することができる。この場合、第２の有機化合物層が発光層となる。適用する有機化合物材料は、高分子系又は中分子系のものが可能であり、その具体例は実施例１で示されている。
【００６８】
陰極３１７は全画素に共通の配線としても機能し、接続配線３０８を経由してＦＰＣ３０９に電気的に接続されている。さらに、画素領域３０２及びゲート側駆動回路３０３に含まれる素子は全て陰極３１７、シール材３１８、及び保護膜３１９で覆われている。また、シール材３１８を用いて有機発光素子を完全に覆った後、すくなくとも図１３に示すようにダイヤモンドライクカーボン（ＤＬＣ）膜などからなる保護膜３１９をシール材３１８の表面（露呈面）に設けることが好ましい。また、基板の裏面を含む全面に保護膜を設けてもよい。ここで、外部入力端子（ＦＰＣ）が設けられる部分に保護膜が成膜されないように注意することが必要である。マスクを用いて保護膜が成膜されないようにしてもよいし、マスキングテープで外部入力端子部分を覆うことで保護膜が成膜されないようにしてもよい。
【００６９】
以上のような構造で有機発光素子をシール材３１８及び保護膜で封入することにより、有機発光素子を外部から完全に遮断することができ、外部から水分や酸素等の有機化合物層の酸化による劣化を促す物質が侵入することを防ぐことができる。従って、信頼性の高い発光装置を得ることができる。また、画素電極を陰極とし、有機化合物層と陽極を積層して図１３とは逆方向に発光する構成としてもよい。
【００７０】
[実施例７]
本発明を用いてして製造される発光装置は、自発光型であるため明るい場所での視認性に優れ、しかも視野角が広い。従って、様々な電子機器の表示部として用いることができる。例えば、ＴＶ放送等を大画面で鑑賞するには対角３０インチ以上（典型的には４０インチ以上）のテレビ受像器又は映像モニター装置（発光装置を筐体に組み込んだ表示装置）の表示部として本発明の発光装置を用いるとよい。
【００７１】
尚、映像モニター装置には、パソコン用ディスプレイ、ＴＶ放送受信用ディスプレイ、広告表示用ディスプレイ等の全ての情報表示用ディスプレイが含まれる。また、その他にも様々な電子装置の表示部として本発明の発光装置を用いることができる。
【００７２】
その他にも本発明の発光装置をビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはデジタルビデオディスク（ＤＶＤ）等の記録媒体を再生し、その画像を表示しうるディスプレイを備えた装置）などが挙げられる。特に、斜め方向から見ることの多い携帯情報端末は視野角の広さが重要視されるため、発光装置を用いることが望ましい。それら電子装置の具体例を図１５、図１６に示す。
【００７３】
図１５（Ａ）はテレビ受像器又は映像モニター装置であり、筐体２００１、支持台２００２、表示部２００３等を含む。本発明により作製される発光装置は表示部２００３に用いることができる。このテレビ受像器又は映像モニター装置は自発光型であるためバックライトが必要なく、液晶ディスプレイよりも薄い表示部とすることができる。
【００７４】
図１５（Ｂ）はビデオカメラであり、本体２１０１、表示部２１０２、音声入力部２１０３、操作スイッチ２１０４、バッテリー２１０５、受像部２１０６等を含む。本発明により作製される発光装置は表示部２１０２に用いることができる。
【００７５】
図１５（Ｃ）は頭部取り付け型の表示装置の一部（右片側）であり、本体２２０１、信号ケーブル２２０２、頭部固定バンド２２０３、表示部２２０４、光学系２２０５、発光装置２２０６等を含む。本発明により作製されるは発光装置２２０６に用いることができる。
【００７６】
図１５（Ｄ）は記録媒体を備えた画像再生装置（具体的にはＤＶＤ再生装置）であり、本体２３０１、記録媒体（ＤＶＤ等）２３０２、操作スイッチ２３０３、表示部（ａ）２３０４、表示部（ｂ）２３０５等を含む。表示部（ａ）は主として画像情報を表示し、表示部（ｂ）は主として文字情報を表示するが、本発明により作製される発光装置はこれら表示部（ａ）、（ｂ）に用いることができる。なお、記録媒体を備えた画像再生装置には家庭用ゲーム機器なども含まれる。
【００７７】
図１５（Ｅ）は携帯型（モバイル）コンピュータであり、本体２４０１、カメラ部２４０２、受像部２４０３、操作スイッチ２４０４、表示部２４０５等を含む。本発明により作製される発光装置は表示部２４０５に用いることができる。
【００７８】
図１５（Ｆ）はパーソナルコンピュータであり、本体２５０１、筐体２５０２、表示部２５０３、キーボード２５０４等を含む。本発明により作製される発光装置は表示部２５０３に用いることができる。
【００７９】
また、上記電子装置はインターネットやＣＡＴＶ（ケーブルテレビ）などの電子通信回線を通じて配信された情報を表示することが多くなり、特に動画情報を表示する機会が増してきている。有機発光素子の応答速度は非常に高いため、発光装置は動画表示に好ましいが、画素間の輪郭がぼやけてしまっては動画全体もぼけてしまう。従って、画素間の輪郭を明瞭にするという本発明により作製される発光装置を電子装置の表示部として用いることは極めて有効である。
【００８０】
また、発光装置は発光している部分が電力を消費するため、発光部分が極力少なくなるように情報を表示することが望ましい。従って、携帯情報端末、特に携帯電話や音響再生装置のような文字情報を主とする表示部に発光装置を用いる場合には、非発光部分を背景として文字情報を発光部分で形成するように駆動することが望ましい。
【００８１】
図１６（Ａ）は携帯電話であり、本体２６０１、音声出力部２６０２、音声入力部２６０３、表示部２６０４、操作スイッチ２６０５、アンテナ２６０６を含む。本発明により作製される発光装置は表示部２６０４に用いることができる。なお、表示部２６０４は黒色の背景に白色の文字を表示することで携帯電話の消費電力を抑えることができる。
【００８２】
また、図１６（Ｂ）は音響再生装置、具体的にはカーオーディオであり、本体２７０１、表示部２７０２、操作スイッチ２７０３、２７０４を含む。本発明により作製される発光装置は表示部２７０２に用いることができる。また、本実施例では車載用オーディオを示すが、携帯型や家庭用の音響再生装置に用いても良い。なお、表示部２７０４は黒色の背景に白色の文字を表示することで消費電力を抑えられる。これは携帯型の音響再生装置において特に有効である。
【００８３】
以上の様に、本発明の適用範囲は極めて広く、あらゆる分野の電子装置に用いることが可能である。
【００８４】
【発明の効果】
以上説明したように、本発明の印刷装置は、第１及び第２圧電素子をインクヘッドに組み入れ、変位を与えるタイミングを同期させることにより、混合物を連続的に吐出したり、その吐出を瞬時に止めることができる。それにより、有機化合物層を印刷する際の位置制御の時間が短縮され、印刷速度を向上させることができる。
【００８５】
このような印刷装置を発光装置を作製に適用することにより、有機化合物層の形成に必要な処理時間を短縮することができる。特に、１枚の大面積基板から複数枚の表示用パネルを切り出す生産方式に適用する場合に適している。大面積基板に複数の画素領域が設けられている場合には、画素領域間の移動の間、混合物の吐出を瞬時に停止させることで、インクヘッドを大面積基板に対してより高速に移動させることができる。第２圧電素子は混合物の吐出を瞬時に止めるために設けるものであり、この手段を設けることにより、印刷の高速化を実現することができる。
【図面の簡単な説明】
【図１】  本発明のインクヘッドの構成を説明する断面図。
【図２】  本発明のインクヘッドの構成を説明する断面図。
【図３】  本発明のインクヘッドの構成とその動作を説明する断面図。
【図４】  圧電素子の動作タイミングを説明する図。
【図５】  本発明のインクジェット方式の印刷装置の構成を説明する図。
【図６】  画素領域を有する基板に有機化合物層の印刷工程を説明する図。
【図７】  画素領域を有する基板に有機化合物層の印刷工程を説明する図。
【図８】  複数の画素領域を有する基板に対して有機化合物層の印刷工程を説明する図。
【図９】  発光装置を形成する製造装置の一例を示す図。
【図１０】  発光装置を形成する製造装置の一例を示す図。
【図１１】  有機発光素子の画素の構成を説明する上面図。
【図１２】  有機発光素子の画素の構成を説明する断面図。
【図１３】  発光装置の構成を示す上面図及び断面図。
【図１４】  有機発光素子の画素領域に有機化合物層を形成する形態を示す上面図。
【図１５】  本発明を用いて作製される発光装置を用いて完成する電子装置の一例を示す図。
【図１６】  本発明を用いて作製される発光装置を用いて完成する電子装置の一例を示す図。
【図１】
0004683772.tif 000002
【図２】
0004683772.tif 000003
【図３】
0004683772.tif 000004
【図４】
0004683772.tif 000005
【図５】
0004683772.tif 000006
【図６】
0004683772.tif 000007
【図７】
0004683772.tif 000008
【図８】
0004683772.tif 000009
【図９】
0004683772.tif 000010
【図１０】
0004683772.tif 000011
【図１１】
0004683772.tif 000012
【図１２】
0004683772.tif 000013
【図１３】
0004683772.tif 000014
【図１４】
0004683772.tif 000015
【図１５】
0004683772.tif 000016
【図１６】
0004683772.tif 000017